【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像された画像データ内にある被写体を検出する被写体検出手段と、
前記被写体検出手段により検出された被写体の向きを識別する識別手段と、
前記識別手段により識別された被写体の向きに基づいて、当該装置の所定の制御を行う制御手段と、
を備えたことを特徴とする撮像装置。
【請求項２】
前記所定の制御は、
露出制御及び前記被写体検出手段の制御のうち、少なくとも一方を含むことを特徴とする請求項１記載の撮像装置。
【請求項３】
前記制御手段は、
前記識別手段により識別された被写体の向きに基づく所定領域を重視した所定の制御を行うことを特徴とする請求項１記載の撮像装置。
【請求項４】
前記所定領域は、前記被写体を前記識別手段により識別された被写体の向きにずらした領域であることを特徴とする請求項３記載の撮像装置。
【請求項５】
前記所定領域は、
前記識別手段により識別された被写体の向きに応じた量だけ前記被写体を前記識別手段により識別された被写体の向きにずらした領域であることを特徴とする請求項３記載の撮像装置。
【請求項６】
被写体の移動量を検出する移動量検出手段を更に備え、
前記所定領域は、
前記移動量検出手段により検出された移動量に応じた量だけ前記被写体を前記識別手段により識別された被写体の向きにずらした領域であることを特徴とする請求項４記載の撮像装置。
【請求項７】
前記所定領域は、
前記識別手段により検出された被写体の向きに応じて大きさが変わることを特徴とする請求項３記載の撮像装置。
【請求項８】
被写体の移動量を検出する移動量検出手段を更に備え、
前記所定領域は、
前記移動量検出手段により検出された移動量に応じて大きさが変わることを特徴とする請求項３記載の撮像装置。
【請求項９】
前記制御手段は、
前記所定領域を測光領域として露出条件を算出し、該算出した露出条件に基づいて露出制御することを特徴とする請求項３記載の撮像装置。
【請求項１０】
前記制御手段は、
前記撮像手段により撮像された画像データの全領域を測光領域として露出条件を算出するとともに、前記所定領域を重みづけして露出制御を行うことを特徴とする請求項３記載の撮像装置。
【請求項１１】
前記制御手段は、
前記被写体が前記所定領域内に存在する場合に、前記算出した露出条件に基づいて露出制御することを特徴とする請求項９記載の撮像装置。
【請求項１２】
前記制御手段は、
前記所定領域を重視して、前記被写体検出手段による次回の所定の被写体の検出を制御することを特徴とする請求項３記載の撮像装置。
【請求項１３】
前記制御手段は、
前記所定領域内にある該所定の被写体を検出させるように、前記被写体検出手段を制御することを特徴とする請求項１２記載の撮像装置。
【請求項１４】
前記被写体検出手段は、
所定の被写体の特徴データと所定値以上で一致する領域を所定の被写体として検出し、
前記制御手段は、
前記識別手段によって識別された被写体の向きの方向に基づいて、前記被写体検出手段における次回の検出の際の、前記所定領域外の領域における被写体検出の所定値が該所定領域における被写体検出の所定値よりも高い値となるように制御することを特徴とする請求項１２記載の撮像装置。
【請求項１５】
前記制御手段は、
前記識別手段により検出された被写体の向きに応じて、フォーカスレンズのサーチ移動範囲又は移動方向を変えて、被写体にピントが合う合焦レンズ位置を検出するようにフォーカス制御することを特徴とする請求項１記載の撮像装置。
【請求項１６】
前記制御手段は、
前記識別手段により識別された複数の所定の被写体の各向きに基づいて前記所定領域を特定し、該特定された所定領域を重視した所定の制御を行うことを特徴とする請求項３記載の撮像装置。
【請求項１７】
前記所定の制御は、
露出制御又はフォーカス制御のうち、少なくとも１つを含むことを特徴とする請求項１６記載の撮像装置。
【請求項１８】
前記検出手段は、
前記撮像手段により撮像された画像データ内にある顔を検出し、
前記識別手段は、
前記検出手段によって検出された顔の向きを識別することを特徴とする請求項１記載の撮像装置。
【請求項１９】
被写体を撮像する撮像手段を備えたコンピュータを、
前記撮像手段により撮像された画像データ内にある被写体を検出する被写体検出手段と、
前記被写体検出手段により検出された被写体の向きを識別する識別手段と、
前記識別手段により識別された被写体の向きに基づいて、当該装置の所定の制御を行う制御手段
として機能させることを特徴とするプログラム。
【手続補正２】
【補正対象書類名】明細書
【補正対象項目名】０００６
【補正方法】変更
【補正の内容】
【０００６】
上記目的達成のため、被写体を撮像する撮像手段と、前記撮像手段により撮像された画像データ内にある被写体を検出する被写体検出手段と、前記被写体検出手段により検出された被写体の向きを識別する識別手段と、前記識別手段により識別された被写体の向きに基づいて、当該装置の所定の制御を行う制御手段とを備えたことを特徴とする。
【手続補正３】
【補正対象書類名】明細書
【補正対象項目名】０００７
【補正方法】変更
【補正の内容】
【０００７】
また、例えば、請求項２に記載されているように、前記所定の制御は、露出制御及び前記被写体検出手段の制御のうち、少なくとも一方を含むようにしてもよい。
【手続補正４】
【補正対象書類名】明細書
【補正対象項目名】０００８
【補正方法】変更
【補正の内容】
【０００８】
また、例えば、請求項３に記載されているように、前記制御手段は、前記識別手段により識別された被写体の向きに基づく所定領域を重視した所定の制御を行うようにしてもよい。
【手続補正５】
【補正対象書類名】明細書
【補正対象項目名】０００９
【補正方法】変更
【補正の内容】
【０００９】
また、例えば、請求項４に記載されているように、前記所定領域は、前記被写体を前記識別手段により識別された被写体の向きにずらした領域であるようにしてもよい。
【手続補正６】
【補正対象書類名】明細書
【補正対象項目名】００１０
【補正方法】変更
【補正の内容】
【００１０】
また、例えば、請求項５に記載されているように、前記所定領域は、前記識別手段により識別された被写体の向きに応じた量だけ前記被写体を前記識別手段により識別された被写体の向きにずらした領域であるようにしてもよい。
【手続補正７】
【補正対象書類名】明細書
【補正対象項目名】００１１
【補正方法】変更
【補正の内容】
【００１１】
また、例えば、請求項６に記載されているように、被写体の移動量を検出する移動量検出手段を更に備え、前記所定領域は、前記移動量検出手段により検出された移動量に応じた量だけ前記被写体を前記識別手段により識別された被写体の向きにずらした領域であるようにしてもよい。
【手続補正８】
【補正対象書類名】明細書
【補正対象項目名】００１２
【補正方法】変更
【補正の内容】
【００１２】
また、例えば、請求項７に記載されているように、前記所定領域は、前記識別手段により検出された被写体の向きに応じて大きさが変わるようにしてもよい。

【手続補正９】
【補正対象書類名】明細書
【補正対象項目名】００１３
【補正方法】変更
【補正の内容】
【００１３】
また、例えば、請求項８に記載されているように、被写体の移動量を検出する移動量検出手段を更に備え、前記所定領域は、前記移動量検出手段により検出された移動量に応じて大きさが変わるようにしてもよい。
【手続補正１０】
【補正対象書類名】明細書
【補正対象項目名】００１４
【補正方法】変更
【補正の内容】
【００１４】
また、例えば、請求項９に記載されているように、前記制御手段は、前記所定領域を測光領域として露出条件を算出し、該算出した露出条件に基づいて露出制御するようにしてもよい。
【手続補正１１】
【補正対象書類名】明細書
【補正対象項目名】００１５
【補正方法】変更
【補正の内容】
【００１５】
また、例えば、請求項１０に記載されているように、前記制御手段は、前記撮像手段により撮像された画像データの全領域を測光領域として露出条件を算出するとともに、前記所定領域を重みづけして露出制御を行うようにしてもよい。
【手続補正１２】
【補正対象書類名】明細書
【補正対象項目名】００１６
【補正方法】変更
【補正の内容】
【００１６】
また、例えば、請求項１１に記載されているように、前記制御手段は、前記被写体が前記所定領域内に存在する場合に、前記算出した露出条件に基づいて露出制御するようにしてもよい。
【手続補正１３】
【補正対象書類名】明細書
【補正対象項目名】００１７
【補正方法】変更
【補正の内容】
【００１７】
また、例えば、請求項１２に記載されているように前記制御手段は、前記所定領域を重視して、前記被写体検出手段による次回の所定の被写体の検出を制御するようにしてもよい。
【手続補正１４】
【補正対象書類名】明細書
【補正対象項目名】００１８
【補正方法】変更
【補正の内容】
【００１８】
また、例えば、請求項１３に記載されているように、前記制御手段は、前記所定領域内にある該所定の被写体を検出させるように、前記被写体検出手段を制御するようにしてもよい。
【手続補正１５】
【補正対象書類名】明細書
【補正対象項目名】００１９
【補正方法】変更
【補正の内容】
【００１９】
また、例えば、請求項１４に記載されているように、前記被写体検出手段は、所定の被写体の特徴データと所定値以上で一致する領域を所定の被写体として検出し、前記制御手段は、前記識別手段によって識別された被写体の向きの方向に基づいて、前記被写体検出手段における次回の検出の際の、前記所定領域外の領域における被写体検出の所定値が該所定領域における被写体検出の所定値よりも高い値となるように制御するようにしてもよい。
【手続補正１６】
【補正対象書類名】明細書
【補正対象項目名】００２０
【補正方法】変更
【補正の内容】
【００２０】
また、例えば、請求項１５に記載されているように、前記制御手段は、前記識別手段により検出された被写体の向きに応じて、フォーカスレンズのサーチ移動範囲又は移動方向を変えて、被写体にピントが合う合焦レンズ位置を検出するようにフォーカス制御するようにしてもよい。
【手続補正１７】
【補正対象書類名】明細書
【補正対象項目名】００２１
【補正方法】変更
【補正の内容】
【００２１】
また、例えば、請求項１６に記載されているように、前記制御手段は、前記識別手段により識別された複数の所定の被写体の各向きに基づいて前記所定領域を特定し、該特定された所定領域を重視した所定の制御を行うようにしてもよい。
【手続補正１８】
【補正対象書類名】明細書
【補正対象項目名】００２２
【補正方法】変更
【補正の内容】
【００２２】
また、例えば、請求項１７に記載されているように、前記所定の制御は、露出制御又はフォーカス制御のうち、少なくとも１つを含むようにしてもよい。
【手続補正１９】
【補正対象書類名】明細書
【補正対象項目名】００２３
【補正方法】変更
【補正の内容】
【００２３】
また、例えば、請求項１８に記載されているように、前記検出手段は、前記撮像手段により撮像された画像データ内にある顔を検出し、前記識別手段は、前記検出手段によって検出された顔の向きを識別するようにしてもよい。
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
上記目的達成のため請求項１９記載の発明によるプログラムは、被写体を撮像する撮像手段を備えたコンピュータを、前記撮像手段により撮像された画像データ内にある被写体を検出する被写体検出手段と、前記被写体検出手段により検出された被写体の向きを識別する識別手段と、前記識別手段により識別された被写体の向きに基づいて、当該装置の所定の制御を行う制御手段として機能させることを特徴とする。